【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
第１のカードと、該第１のカードよりも長さが長く幅狭な第２のカードとの何れかを選択的に挿着可能な収納部を有するハウジングと、前記第１のカードの接触端子部と接続される第１のコネクタ端子と、前記第１のコネクタ端子の配設位置よりもカード挿入方向の奥側で前記収納部に配設され、前記第２のカードの接触端子部と接続される第２のコネクタ端子と、前記カードの挿入方向及び排出方向に移動可能に配設されたスライド部材と、前記スライド部材を前記カードの排出方向へ付勢する付勢部材と、前記付勢部材の付勢力に抗して前記スライド部材をカードの挿着位置にロックするロック手段とを備え、前記スライド部材は、前記第２のカードの前端部とは当接せず、前記第１のカードの前端部と当接する位置に設けられた第１の係止部と、前記第２のカードの前端部とのみ当接する位置に設けられた第２の係止部とを有することを特徴とするカード用コネクタ装置。
【請求項２】
前記第１の係止部と前記第１のカードとの係止位置は、前記第１のカードの幅よりも内側で、且つ、前記第２のカードの幅よりも外側に位置していることを特徴とする請求項１記載のカード用コネクタ装置。
【請求項３】
前記第１の係止部は、前記第１のカードの隅部に設けられた斜面状の切り欠き部と当接することを特徴とする請求項１又は請求項２記載のカード用コネクタ装置。
【請求項４】
前記第２の係止部は、前記第１の係止部よりもカード挿入方向の奥側の位置に設けられることを特徴とする請求項１から請求項３のいずれかに記載のカード用コネクタ装置。
【請求項５】
前記ロック手段は、前記スライド部材または前記ハウジングのどちらか一方に形成されたハード型カム溝と、他方に設けられ、このハート型カム溝と係合する係合ピンとから構成され、前記カードの挿着位置に装着された前記第１のカードまたは前記第２のカードを一旦押圧することによって前記ロック手段によるロックを解除するようにしたことを特徴とする請求項１から請求項４のいずれかに記載のカード用コネクタ装置。
【請求項６】
前記スライド部材は、前記ハウジングの収納部の左右両側に跨って形成されており、前記第１の係止部は、前記第１のカードの左右両側と当接可能となるように、前記収納部に対して左右一対で形成されていることを特徴とする請求項１から請求項５のいずれかに記載のカード用コネクタ装置。
【請求項７】
前記第２の係止部は、左右両側に延びた横桟条に形成されており、前記第２のカードの前端部に当接可能になっていることを特徴とする請求項１から請求項６のいずれかに記載のカード用コネクタ装置。
【請求項８】
前記スライド部材には、前記第１のカード及び前記第２のカードの少なくとも一方のカードを挿着した状態に保持するための保持部材が設けられていることを特徴とする請求項１から請求項７のいずれかに記載のカード用コネクタ装置。
【請求項９】
前記保持部材は、前記第１のカードの側縁部に形成した凹部に係合可能な第１の保持部材と、前記第２のカードの側縁部に形成した凹部に係合可能な第２の保持部材であって、前記第２の保持部材は前記第１の保持部材が設けられた側とは反対側に設けられていることを特徴とする請求項８記載のカード用コネクタ装置。
【請求項１０】
前記スライド部材は、前記第１の係止部を有する第１のスライド部材と、前記第２の係止部を有する第２のスライド部材とを有し、前記第１のスライド部材を前記カードの挿入方向の後方で、かつ前記第２のスライド部材を前記カードの挿入方向の前方で、前記カードの挿入方向に沿って前後に並設し、前記第１のカードが前記収納部に挿入された時に、前記第１のカードの前端部と前記第１係止部が当接して前記第１のスライド部材及び前記第２のスライド部材を一体的に前記第１のカードの挿入方向に移動され、前記第２のカードが前記収納部に挿入された時に、前記第２のカードの前端部と前記第２の係止部が当接して前記第２のスライド部材のみを前記第２のカードの挿入方向に移動させることを特徴とする請求項１から請求項９のいずれかに記載のカード用コネクタ装置。
【請求項１１】
前記付勢手段は、前記第２のスライド部材を前記カードの排出方向へ付勢しており、前記ロック手段のハート型カム溝または係合ピンのいずれか一方は、前記第２のスライド部材に形成されていることを特徴とする請求項１０記載のカード用コネクタ装置。
【手続補正２】
【補正対象書類名】明細書
【補正対象項目名】０００７
【補正方法】変更
【補正の内容】
【０００７】
上記課題を解決するために本発明では第１の解決手段として、第１のカードと、該第１のカードよりも長さが長く幅狭な第２のカードとの何れかを選択的に挿着可能な収納部を有するハウジングと、前記第１のカードの接触端子部と接続される第１のコネクタ端子と、前記第１のコネクタ端子の配設位置よりもカード挿入方向の奥側で前記収納部に配設され、前記第２のカードの接触端子部と接続される第２のコネクタ端子と、前記カードの挿入方向及び排出方向に移動可能に配設されたスライド部材と、前記スライド部材を前記カードの排出方向へ付勢する付勢部材と、前記付勢部材の付勢力に抗して前記スライド部材をカードの挿着位置にロックするロック手段とを備え、前記スライド部材は、前記第２のカードの前端部とは当接せず、前記第１のカードの前端部と当接する位置に設けられた第１の係止部と、前記第２のカードの前端部とのみ当接する位置に設けられた第２の係止部とを有する構成とした。
また、第２の解決手段として、前記第１の係止部と前記第１のカードとの係止位置は、前記第１のカードの幅よりも内側で、且つ、前記第２のカードの幅よりも外側に位置しているようにした。
また、第３の解決手段として、前記第１の係止部は、前記第１のカードの隅部に設けられた斜面状の切り欠き部と当接するようにした。
また、第４の解決手段として、前記第２の係止部は、前記第１の係止部よりもカード挿入方向の奥側の位置に設けられるようにした。
【手続補正３】
【補正対象書類名】明細書
【補正対象項目名】０００８
【補正方法】変更
【補正の内容】
【０００８】
また、第５の解決手段として、前記ロック手段は、前記スライド部材または前記ハウジングのどちらか一方に形成されたハード型カム溝と、他方に設けられ、このハート型カム溝と係合する係合ピンとから構成され、前記カードの挿着位置に装着された前記第１のカードまたは前記第２のカードを一旦押圧することによって前記ロック手段によるロックを解除するようにした。
【手続補正４】
【補正対象書類名】明細書
【補正対象項目名】０００９
【補正方法】変更
【補正の内容】
【０００９】
また、第６の解決手段として、前記スライド部材は、前記ハウジングの収納部の左右両側に跨って形成されており、前記第１の係止部は、前記第１のカードの左右両側と当接可能となるように、前記収納部に対して左右一対で形成されている構成とした。
【手続補正５】
【補正対象書類名】明細書
【補正対象項目名】００１０
【補正方法】変更
【補正の内容】
【００１０】
また、第７の解決手段として、前記第２の係止部は、左右両側に延びた横桟条に形成されており、前記第２のカードの前端部に当接可能になっている構成とした。
【手続補正６】
【補正対象書類名】明細書
【補正対象項目名】００１１
【補正方法】変更
【補正の内容】
【００１１】
また、第８の解決手段として、前記スライド部材には、前記第１のカード及び前記第２のカードの少なくとも一方のカードを挿着した状態に保持するための保持部材が設けられている構成とした。
【手続補正７】
【補正対象書類名】明細書
【補正対象項目名】００１２
【補正方法】変更
【補正の内容】
【００１２】
また、第９の解決手段として、前記保持部材は、前記第１のカードの側縁部に形成した凹部に係合可能な第１の保持部材と、前記第２のカードの側縁部に形成した凹部に係合可能な第２の保持部材であって、前記第２の保持部材は前記第１の保持部材が設けられた側とは反対側に設けられている構成とした。
【手続補正８】
【補正対象書類名】明細書
【補正対象項目名】００１３
【補正方法】変更
【補正の内容】
【００１３】
また、第１０の解決手段として、前記スライド部材は、前記第１の係止部を有する第１のスライド部材と、前記第２の係止部を有する第２のスライド部材とを有し、前記第１のスライド部材を前記カードの挿入方向の後方で、かつ前記第２のスライド部材を前記カードの挿入方向の前方で、前記カードの挿入方向に沿って前後に並設し、前記第１のカードが前記収納部に挿入された時に、前記第１のカードの前端部と前記第１係止部が当接して前記第１のスライド部材及び前記第２のスライド部材を一体的に前記第１のカードの挿入方向に移動され、前記第２のカードが前記収納部に挿入された時に、前記第２のカードの前端部と前記第２の係止部が当接して前記第２のスライド部材のみを前記第２のカードの挿入方向に移動させる構成とした。
【手続補正９】
【補正対象書類名】明細書
【補正対象項目名】００１４
【補正方法】変更
【補正の内容】
【００１４】
また、第１１の解決手段として、前記付勢手段は、前記第２のスライド部材を前記カードの排出方向へ付勢しており、前記ロック手段のハート型カム溝または係合ピンのいずれか一方は、前記第２のスライド部材に形成されている構成とした。